(57)【要約】【課題】各種ドアの表面に付いた傷の補修をドア表面の意匠性を低下させることなく簡単に行い得るドアを提供する。【解決手段】板状のドア基材と、該ドア基材の表面に接着配置された化粧材とを備えたドアにおいて、前記化粧材は、表面を研磨した際に研磨前の表面意匠と略同一もしくは類似した表面意匠が出現可能な所定厚さの樹脂シートで形成されていることを特徴とする。前記樹脂シートは、例えばその厚さが０．５ｍｍ以上に設定され、前記樹脂シートは、人工大理石製の樹脂シート、天然石が含有された樹脂シート、木材に樹脂が含浸された樹脂シートのいずれかで形成される。【選択図】  図２
2004278028.tif 000002
【特許請求の範囲】
【請求項１】
板状のドア基材と、該ドア基材の表面に接着配置された化粧材とを備えたドアにおいて、
前記化粧材は、表面を研磨した際に研磨前の表面意匠と略同一もしくは類似した表面意匠が出現可能な所定厚さの樹脂シートで形成されていることを特徴とするドア。
【請求項２】
前記樹脂シートは、その厚さが０．５ｍｍ以上に設定されていることを特徴とする請求項１に記載のドア。
【請求項３】
前記樹脂シートは、人工大理石製の樹脂シート、天然石が含有された樹脂シート、木材に樹脂が含浸された樹脂シートのいずれかで形成されていることを特徴とする請求項１または２に記載のドア。
【請求項４】
前記ドア基材は、断熱材や枠材等からなる中芯と、該中芯の表面に補強シートを介して接着された表面基材とを備えることを特徴とする請求項１ないし３のいずれかに記載のドア。
【請求項５】
前記研磨された樹脂シートの表面がクリアー塗装されていることを特徴とする請求項１ないし４のいずれかに記載のドア。
【発明の詳細な説明】
【０００１】
【発明の属する技術分野】
本発明は、住宅の玄関ドア等のドアに係わり、特にその表面の補修が容易に行えるドアに関する。
【０００２】
【従来の技術】
従来、ドアとしては、アルミドア、鋼板ドア、木質ドアあるいは木製ドア等の各種ドアが使用されている。そして、アルミドアはアルミ基材（表面材）の表面にアルマイト・塗装が施され、鋼板ドアは鋼板（表面材）の表面に塗装が施されている。また、木質ドアは基材の表面に木単板（もしくは樹脂層）を配置しこの木単板（表面材）の表面に塗装を施したものであり、木製ドアは、木（表面材）の表面に塗装を施したものである。なお、木質ドアとしては、例えば特許文献１に開示されている。
【０００３】
【特許文献１】
特開２００２−３１７５８７号公報
【０００４】
【発明が解決しようとする課題】
しかしながら、このような各種ドアにあっては、所定意匠が付与された各種材質の表面材の表面に塗装が施されていることから、表面材に傷が付いた場合の補修は、先ずパテで傷の凹部を埋める等して平坦にし、この平坦面上にドア表面の意匠を例えば手書き等で付与した後に塗装している。そのため、補修作業に時間が掛かると共に、補修部分を目立たないようにするためには熟練した技能を必要とし、特にドア表面の意匠によっては、極めて面倒かつ高度な作業となり誰にでもできる作業ではなく、ドアの補修を専門業者に依頼する必要があって、補修コストのアップを招いているのが実状である。
【０００５】
本発明は、このような事情に鑑みてなされたもので、その目的は、各種ドアの表面に付いた傷の補修をドア表面の意匠性を低下させることなく簡単に行い得るドアを提供することにある。
【０００６】
【課題を解決するための手段】
かかる目的を達成すべく、本発明のうち請求項１に記載の発明は、板状のドア基材と、該ドア基材の表面に接着配置された化粧材とを備えたドアにおいて、前記化粧材は、表面を研磨した際に研磨前の表面意匠と略同一もしくは類似した表面意匠が出現可能な所定厚さの樹脂シートで形成されていることを特徴とする。
【０００７】
このように構成することにより、ドア表面の化粧材に傷が付いた場合、化粧材の傷部分を例えばサンドペーパー等で研磨すると、化粧材としての樹脂シートの研磨表面に研磨前の表面意匠と略同一もしくは類似した表面意匠が新たに出現する。これにより、ドア表面の傷の補修を化粧材の傷部分を研磨するだけで、ドアの表面意匠を低下させることなく簡単かつ短時間に行える。
【０００８】
そして、前記樹脂シートは、請求項２に記載の発明のように、その厚さが０．５ｍｍ以上に設定されていることが好ましい。このように構成することにより、樹脂シートの厚さが０．５ｍｍ以上に設定されていることから、樹脂シートを研磨した際の同一表面意匠等の出現を可能とし、補修作業が一層簡単に行える。
【０００９】
また、前記樹脂シートは、請求項３に記載の発明のように、人工大理石製の樹脂シート、天然石が含有された樹脂シート、木材に樹脂が含浸された樹脂シートのいずれかで形成されていることが好ましい。このように構成することにより、化粧材として人工大理石製の樹脂シートや天然石が含有された樹脂シート等が使用されることから、ドア表面に所望の意匠を容易に付与できる。
【００１０】
また、前記ドア基材は、請求項４に記載の発明のように、断熱材や枠材等からなる中芯と、該中芯の表面に補強シートを介して接着された表面基材とを備えることが好ましい。このように構成することにより、ドア基材が中芯と表面基材等を備えることから、例えば中芯の断熱材によってドアの軽量化を図りつつ補強シートでドアの剛性を所定に確保し、耐久性と補修性に優れたドアが得られる。
【００１１】
また、請求項５に記載の発明のように、前記研磨された樹脂シートの表面がクリアー塗装されていることが好ましい。このように構成することにより、研磨された樹脂シートの表面で補修部分がクリアー塗装されることから、例えば深い傷部分をクリアー塗装で埋めつつその耐久性を高めることができて、各種傷によるドア自体の耐久性の低下等を確実に防止できる。
【００１２】
【発明の実施の形態】
以下、本発明の実施の形態を図面に基づいて詳細に説明する。
図１〜図４は、本発明に係わるドアを住宅用の玄関ドアに適用した場合の一実施形態を示し、図１がその要部の一部破断した斜視図、図２がその断面図、図３及び図４が補修方法の説明図である。
【００１３】
図１において、玄関ドア１は、ドア本体２と、このドア本体２の例えば略中央部分に額縁４を介して配設されたドアガラス３と、ドア本体２の左右幅方向の一端部に取り付けられた図示しない施錠装置等を備えている。ドア本体２は、板状に形成されたドア基材５と化粧材６とで構成され、ドア基材５は、外周部と前記額縁４部分に配置された無垢集成材等からなる枠材８、及びこの枠材８間に充填された発泡樹脂等の断熱材９からなる中芯７と、この中芯７の表面及び裏面側に配置された金属や樹脂等からなる補強シート１０と、この補強シート１０の表面側に配置された所定材質の表面基材１１（図１では補強シート１０と一体的に示す）のサンドイッチ構造で構成されている。
【００１４】
すなわち、図２に示すように、ドア基材５は、厚さｔ２の中芯７と、この中芯７の表面及び裏面に接着固定された厚さｔ３の補強シート１０と、この補強シート１０の表面側に接着固定された厚さｔ４の表面基材１１とで構成されている。そして、このドア基材７の各表面基材１１の表面側に、厚さｔ１の化粧材６がそれぞれ接着固定されている。
【００１５】
この化粧材６は、例えばアクリル系やポリエステル系の樹脂からなる人工大理石製の樹脂シート、雲母等の天然石が含有された樹脂シート、木材に所定の樹脂を含浸させたＷＰＣ等の樹脂シートによって、その厚さｔ１が０．５ｍｍ〜３ｍｍ程度となるように設定され、所定の意匠が予め付与されている。そして、この化粧材６の意匠は、その厚さ方向において略同一もしくは略同一に視認され得る類似した意匠（以下、これらを説明の便宜上、同様の意匠という）が出現するように、例えば切断面に同様の意匠が常に出現するいわゆる金太郎飴式に形成されており、その表面を研磨した場合でも、該研磨部分に他の部分と同様の意匠が出現されるようになっている。
【００１６】
すなわち、具体的には、化粧材６に付与される意匠が例えば大理石のように石目調の模様の場合は、表面６ａ側から厚さ方向に同じ様な石目調の模様が出現するように形成され、意匠が木目調の模様の場合は、木目の各線が表面６ａ側から厚さ方向に面状に形成されることで、表面６ａを研磨しても同様の意匠が常に出現（露出）するように形成されている。なお、化粧材６は、その厚さｔ１を所定値（この例では０．５ｍｍ〜３ｍｍ）に設定することで、表面６ａ側を研磨した際に前述したような同様の意匠等の出現を可能にしている。
【００１７】
この玄関ドア１によれば、例えば屋外側の面である化粧材６の表面６ａに、図２の二点鎖線ａに示すように傷１２が付いた場合、例えば図３に示すようにして傷１２が補修される。すなわち、図３（ａ）に示すように、何らかの原因で玄関ドア１の表面である化粧材６の表面６ａに凹部１２ａと凸部１２ｂからなる傷１２が付いた場合、この傷１２が付いた化粧材６の傷部分をサンドペーパー等の研磨材１３を使用して研磨する。この研磨により、図３（ｂ）に示すように、傷１２の凸部１２ｂが削られると共に、傷１２の周囲の所定範囲を研磨することで化粧材６の厚さｔ１が所定寸法（凹部１２ａの深さ寸法分）薄くなり、凸部１２ｂと凹部１２ａとが共に無くなった状態となる。
【００１８】
そして、この時、傷１２の凸部１２ｂと凹部１２ａを研磨で削っても、研磨部分の表面には研磨する前と同様の化粧材６の意匠が新たに出現するため、この出現した意匠と研磨しない部分とが違和感の無い状態となり、傷１２部分にあたかも研磨前の意匠が存在するように視認される。これにより、玄関ドア１の化粧材６に付いた傷１２が補修され、この補修は研磨材１３による研磨だけで極めて簡単に行えることになる。
【００１９】
なお、この傷１２の補修において、例えば図４に示すように、傷１２の凹部１２ａの深さが比較的深く凹部１２ａの深さ分まで研磨することが難しい場合等には、先ず図４（ａ）に示すように、凸部１２ｂやその周囲を研磨材１３で研磨して削ることにより、図４（ｂ）に示すように、凹部１２ａをできる限り小さく（深さを浅く）する。
【００２０】
そして、この状態で図４（ｃ）に示すように、研磨部分にクリアー塗装１４を施すと、小さくなった凹部１２ａ内にクリアーな塗料が埋め込まれ、研磨部分の全体を視認した場合に、凹部１２ａが認識され難い状態となる。これにより化粧材６の傷１２が補修され、この場合は、研磨部分がクリアー塗装１４で覆われた状態となって、補修部分（研磨部分）の耐久性の向上が図れることになる。なお、クリアー塗装１４は、傷１２の凹部１２ａを研磨により無くした状態で塗布することも勿論可能である。
【００２１】
つまり、玄関ドア１の化粧材６の表面６ａに付いた傷１２としての凹部１２ａの深さに応じて、化粧材６の表面６ａの研磨量を調整することで、凹部１２ａを略完全に無くした状態としたり、玄関ドア１の全体意匠に違和感を与えない範囲まで凹部１２ａを研磨することで、傷１２による凹凸を補修する。そして、玄関ドア１の形態や玄関ドア１における研磨部分の位置（例えば屋外側の施錠装置部分等）に応じ、研磨部分に耐久性等が必要な場合にはクリアー塗装１４をして、傷１２の補修作業が完了する。
【００２２】
このように、上記実施形態の玄関ドア１にあっては、玄関ドア１の表面材としての化粧材６に付与される意匠が、厚さ方向に同様の意匠が出現するように予め形成されているため、傷部分を研磨材１３で研磨することで、傷部分に研磨前と同様の意匠を常に出現させることができて、従来のような意匠の手書きや塗装が不要となり、傷１２の補修作業を研磨だけで極めて簡単に行うことができる。特に、化粧材６の厚さｔ１を研磨しても所定の意匠が出現可能な０．５ｍｍ以上に設定することにより、玄関ドア１の各部位に付いた傷１２を簡単に補修できると共に、補修後の化粧材６の強度を所定に確保することも可能になる。
【００２３】
また、傷１２としての凹部１２ａの深さに応じ化粧材６の研磨量を調整することで、研磨前の意匠と同様の違和感の無い意匠を有する補修を行うことができるため、熟練者や専門の補修業者に依頼することなく、だれでも簡単かつ短時間に補修することができる。また、化粧材６が人工大理石製や天然石入りあるいは木に樹脂を含浸させた樹脂シートで形成されるため、化粧材６自体の製造（成形）を従来の表面材と同様に簡単に行え、所定の意匠が付与された化粧材６を安価に製造できると共に、補修作業が研磨主体となるため、例えばサンドペーパーや一般的な回転工具等による研磨で補修を行うことができて、補修に必要な工具や治具の費用を低減させることができる。
【００２４】
特に、例えば化粧材６としてＷＰＣを使用し意匠が木目調の模様の場合に、木目の各線が略厚さ方向に形成されていることから、研磨した際に研磨前と同様の意匠が新たに出現し、研磨した部分の木目の線等が研磨しない部分と略連続状態となって違和感がなく、良好な木目模様を得ることが可能になると共に、石目調の模様の場合でも、研磨後と研磨前との意匠間に何等違和感のない状態を容易に得ることができる。これらにより、トータル的な補修コストを大幅に低減させることが可能になると共に、ドア表面に補修前と変わらない意匠を容易かつ確実に得ることができて、一般家庭等において日曜大工的な作業で傷１２の補修を行うことが可能になる。
【００２５】
さらに、化粧材６の傷１２の部分にクリアー塗装１４を施すことができるため、玄関ドア１における傷１２の位置等に応じてこのクリアー塗装１４を施すことで、玄関ドア１の研磨部分の耐久性の低下を確実に防止して、長期に亘り安定した品質の玄関ドア１を得ることが可能になる。
【００２６】
また、予め研磨しても同様の意匠が出現するように化粧材６を成形し、これを中芯７や補強シート１０等とサンドイッチ状に積層接着することでドア本体２が形成されるため、ドア本体２すなわち玄関ドア１の製造を従来と同様に行うことができると共に、中芯７として断熱材９を使用することで玄関ドア１の軽量化を図りつつ、補強シート１０で玄関ドア１の剛性を容易に確保することができる。さらに、玄関ドア１の表面が全体的に汚れてしまった場合においても、化粧材６の表面全体を研磨することにより、汚れのない状態に容易に復元させることができる。
【００２７】
なお、上記実施形態においては、化粧材６をドア基材５の表面基材１１の表面上に接着配置したが、本発明のドア本体２の積層構造はこれに限定されず、例えば表面基材１１を省略することもできる。また、化粧材６と表面基材１１を共に使用する場合は、例えば表面基材１１に木目等の所定の意匠を付与し、化粧材６に石目調の模様による意匠や着色による意匠を付与する等、化粧材６と表面基材１１の各意匠を適宜に組み合わせることにより、化粧材６を研磨した際に同様の意匠等が出現する構成とすることもできる。
【００２８】
さらに、上記実施形態においては、化粧材６を中芯７の表裏面に配置する例について説明したが、例えば化粧材６を中芯７の傷１２が付き易い一方の表面基材１１上にのみ配置する構成としても良いし、ドア基材５の補強シート１０も必ずしも必要ではなく省略することも可能である。また、上記実施形態における中芯７の構成やドア本体２の構成、あるいは玄関ドア１自体の構成等も一例であって、本発明に係わる各発明の要旨を逸脱しない範囲において適宜に変更することができる。
【００２９】
【発明の効果】
以上詳述したように、請求項１に記載の発明によれば、化粧材が表面を研磨した際に研磨前の表面意匠と略同一もしくは類似した表面意匠が出現可能な所定厚さの樹脂シートで形成されているため、表面の傷の補修を化粧材表面の傷部分を研磨するだけで、ドア表面の意匠を低下させることなく簡単かつ短時間に補修することができる。
【００３０】
また、請求項２に記載の発明によれば、請求項１に記載の発明の効果に加え、樹脂シートの厚さが０．５ｍｍ以上に設定されているため、樹脂シートを研磨した際の表面に研磨前と同様の表面意匠の出現を可能とし、補修作業を一層簡単に行うことができる。
【００３１】
また、請求項３に記載の発明によれば、請求項１または２に記載の発明の効果に加え、化粧材として人工大理石製や天然石入りの樹脂シートが使用されることから、例えばドアの使用部位等に応じてドア表面に所望の意匠を容易に付与することができる。
【００３２】
また、請求項４に記載の発明によれば、請求項１ないし３に記載の発明の効果に加え、ドア基材が中芯と表面基材等を備えるため、例えば中芯によってドアの軽量化を図りつつ補強シートでドアの剛性を所定に確保して、耐久性と補修性に優れたドアを容易に得ることができる。
【００３３】
また、請求項５に記載の発明によれば、請求項１ないし４に記載の発明の効果に加え、研磨された化粧シートの表面がクリアー塗装されているため、例えば深い傷部分等をクリアー塗装で埋めつつその耐久性を高めることができて、各種傷によるドア自体の耐久性の低下等を確実に防止できる等の効果を奏する。
【図面の簡単な説明】
【図１】本発明に係わるドアを玄関ドアに適用した場合の一実施形態を示す要部の一部破断した斜視図
【図２】同その断面図
【図３】同その補修方法の説明図
【図４】同他の補修方法の説明図
【符号の説明】
１・・・・・・・・玄関ドア
２・・・・・・・・ドア本体
３・・・・・・・・ドアガラス
５・・・・・・・・ドア基材
６・・・・・・・・化粧材（樹脂シート）
６ａ・・・・・・・表面
７・・・・・・・・中芯
８・・・・・・・・枠材
９・・・・・・・・断熱材
１０・・・・・・・補強シート
１１・・・・・・・表面基材
１２・・・・・・・傷
１２ａ・・・・・・凹部
１２ｂ・・・・・・凸部
１３・・・・・・・研磨材
１４・・・・・・・クリアー塗装
ｔ１・・・・・・・化粧材の厚さ
【図１】
2004278028.tif 000003
【図２】
2004278028.tif 000004
【図３】
2004278028.tif 000005
【図４】
2004278028.tif 000006